(57)【要約】【課題】画像、ポインタ、音声データを同期して記録したデータを再生するにあたり、必要な情報は再生しつつも再生時間を短縮する。【解決手段】再生装置１０は、表示された１又は複数の画像の画像データ、各画像を指示するポインタの位置データ、及び音声データを時間に関連づけて記憶し、記憶された画像データの変化に基づいて特定した第１の時間範囲と、ポインタの位置データの変化に基づいて特定した第２の時間範囲と、音声データの音声レベルに基づいて特定した第３の時間範囲とのうち少なくとも２つの時間範囲に基づいて短縮時間範囲を決定し、記憶されるデータに基づいて画像とポインタの表示、及び音声を同期して再生する際に、決定された短縮時間範囲については画像とポインタの表示、及び音声を短縮もしくは省略して再生する。【選択図】図１
2009301657.tif 000002
【特許請求の範囲】
【請求項１】
表示された１又は複数の画像の画像データ、前記各画像を指示するポインタの位置データ、及び音声データを時間に関連づけて記憶する記憶手段と、
前記記憶手段に記憶された画像データの変化に基づいて特定した第１の時間範囲と、前記ポインタの位置データの変化に基づいて特定した第２の時間範囲と、前記音声データの音声レベルに基づいて特定した第３の時間範囲とのうち少なくとも２つの時間範囲に基づいて短縮時間範囲を決定する決定手段と、
前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段と、
を含むことを特徴とする再生装置。
【請求項２】
前記決定手段は、前記第１、第２、及び第３の時間範囲のうち少なくとも２つの時間範囲に関して論理和又は論理積により表した論理条件式に基づいて前記短縮時間範囲を決定する、
ことを特徴とする請求項１に記載の再生装置。
【請求項３】
前記論理条件式は、前記第１、第２、及び第３の時間範囲のうち少なくとも２つの時間範囲の否定論理和により表される、
ことを特徴とする請求項２に記載の再生装置。
【請求項４】
前記記憶された画像データの差分に基づいて前記第１の時間範囲を特定する手段と、
前記記憶されたポインタの位置データに基づいて算出される速度に基づいて前記第２の時間範囲を特定する手段と、
前記記憶された音声データの音声レベルを所定の閾値と比較して前記第３の時間範囲を特定する手段と、
を含むことを特徴とする請求項１乃至３のいずれかに記載の再生装置。
【請求項５】
表示された１又は複数の画像の画像データ、前記各画像を指示するポインタの位置データ、及び音声データを時間に関連づけて記憶する記憶手段と、
前記記憶手段に記憶された画像データの変化に基づいて特定した第１の時間範囲と、前記ポインタの位置データの変化に基づいて特定した第２の時間範囲と、前記音声データの音声レベルに基づいて特定した第３の時間範囲とのうち少なくとも２つの時間範囲に基づいて短縮時間範囲を決定する決定手段と、
前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段としてコンピュータを機能させることを特徴とするプログラム。
【請求項６】
表示された１又は複数の画像の画像データ、前記各画像を指示するポインタの位置データ、及び音声データを時間に関連づけて記憶する記憶手段と、
前記記憶手段に記憶された画像データの変化に基づいて特定した第１の時間範囲と、前記ポインタの位置データの変化に基づいて特定した第２の時間範囲とのいずれかに基づいて短縮時間範囲を決定する決定手段と、
前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段と、
を含むことを特徴とする再生装置。
【請求項７】
表示された１又は複数の画像の画像データ、前記各画像を指示するポインタの位置データ、及び音声データを時間に関連づけて記憶する記憶手段と、
前記記憶手段に記憶された画像データの変化に基づいて特定した第１の時間範囲と、前記ポインタの位置データの変化に基づいて特定した第２の時間範囲とのいずれかに基づいて短縮時間範囲を決定する決定手段と、
前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段としてコンピュータを機能させることを特徴とするプログラム。
【発明の詳細な説明】
【技術分野】
【０００１】
本発明は、再生装置、及びプログラムに関する。
【背景技術】
【０００２】
近年ではコンピュータから出力されるスライド画像を順次スクリーンに映写しながらプレゼンテーションをすることが一般的になっている。このようなプレゼンテーションについて、下記の特許文献１にはスライド画像、スライド画像を指示したポインタ、そして利用者による音声をそれぞれ同期して記録し再生する装置が提案されている。
【特許文献１】特開２００３−５８９０１号公報
【発明の開示】
【発明が解決しようとする課題】
【０００３】
従来の技術では、このようなプレゼンテーションデータを再生するにあたり、時間やスライド画像を指定することで所望の再生位置から再生することができたが、記録されたデータには説明が行われていない部分や、利用者によっては必要としない部分もあるため、その部分を再生してしまうことでデータの再生時間が長くなり効率が良くないことがあった。
【０００４】
本発明は上記課題に鑑みてなされたものであって、本発明の目的の一つは、画像、ポインタ、音声データを同期して記録したデータを効率よく再生することができる再生装置、及びプログラムを提供することにある。
【課題を解決するための手段】
【０００５】
上記目的を達成するために、請求項１に記載の再生装置の発明は、表示された１又は複数の画像の画像データ、前記各画像を指示するポインタの位置データ、及び音声データを時間に関連づけて記憶する記憶手段と、前記記憶手段に記憶された画像データの変化に基づいて特定した第１の時間範囲と、前記ポインタの位置データの変化に基づいて特定した第２の時間範囲と、前記音声データの音声レベルに基づいて特定した第３の時間範囲とのうち少なくとも２つの時間範囲に基づいて短縮時間範囲を決定する決定手段と、前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段と、を含むことを特徴とする。
【０００６】
また、請求項２に記載の発明は、請求項１に記載の再生装置において、前記決定手段は、前記第１、第２、及び第３の時間範囲のうち少なくとも２つの時間範囲に関して論理和又は論理積により表した論理条件式に基づいて前記短縮時間範囲を決定する、ことを特徴とする。
【０００７】
また、請求項３に記載の発明は、請求項２に記載の再生装置において、前記論理条件式は、前記第１、第２、及び第３の時間範囲のうち少なくとも２つの時間範囲の否定論理和により表される、ことを特徴とする。
【０００８】
また、請求項４に記載の発明は、請求項１乃至３のいずれかに記載の再生装置において、前記記憶された画像データの差分に基づいて前記第１の時間範囲を特定する手段と、前記記憶されたポインタの位置データに基づいて算出される速度に基づいて前記第２の時間範囲を特定する手段と、前記記憶された音声データの音声レベルを所定の閾値と比較して前記第３の時間範囲を特定する手段と、を含むことを特徴とする。
【０００９】
また、請求項５に記載のプログラムの発明は、表示された１又は複数の画像の画像データ、前記各画像を指示するポインタの位置データ、及び音声データを時間に関連づけて記憶する記憶手段と、前記記憶手段に記憶された画像データの変化に基づいて特定した第１の時間範囲と、前記ポインタの位置データの変化に基づいて特定した第２の時間範囲と、前記音声データの音声レベルに基づいて特定した第３の時間範囲とのうち少なくとも２つの時間範囲に基づいて短縮時間範囲を決定する決定手段と、前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段としてコンピュータを機能させることを特徴とする。
【００１０】
また、請求項６に記載の再生装置の発明は、表示された１又は複数の画像の画像データ、前記各画像を指示するポインタの位置データ、及び音声データを時間に関連づけて記憶する記憶手段と、前記記憶手段に記憶された画像データの変化に基づいて特定した第１の時間範囲と、前記ポインタの位置データの変化に基づいて特定した第２の時間範囲とのいずれかに基づいて短縮時間範囲を決定する決定手段と、前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段と、を含むことを特徴とする。
【００１１】
また、請求項７に記載のプログラムの発明は、表示された１又は複数の画像の画像データ、前記各画像を指示するポインタの位置データ、及び音声データを時間に関連づけて記憶する記憶手段と、前記記憶手段に記憶された画像データの変化に基づいて特定した第１の時間範囲と、前記ポインタの位置データの変化に基づいて特定した第２の時間範囲とのいずれかに基づいて短縮時間範囲を決定する決定手段と、前記記憶手段により記憶されるデータに基づいて画像とポインタの表示、及び音声を同期して再生する再生手段であって、前記決定手段により決定された短縮時間範囲については画像とポインタの表示、及び音声を短縮もしくは省略して再生する再生手段としてコンピュータを機能させることを特徴とする。
【発明の効果】
【００１２】
請求項１に記載の発明によれば、画像、ポインタ、音声データを同期して記録したデータの再生時間を短縮して、効率良く再生することができる。
【００１３】
請求項２に記載の発明によれば、第１乃至第３の時間範囲について予め定めた論理条件式に基づいて短縮時間範囲を決定し、決定した短縮時間範囲については記録データを短縮又は省略して再生することで、記録したデータを効率良く再生することができる。
【００１４】
請求項３に記載の発明によれば、画像、ポインタ、音声のうち少なくとも２つについて有意な情報が記録されている部分は通常の再生とし、そうでない部分は短縮時間範囲として決定することで、記録したデータを効率良く再生することができる。
【００１５】
請求項４に記載の発明によれば、記憶されるデータに基づいて第１乃至第３の時間範囲を特定することができる。
【００１６】
請求項５に記載の発明によれば、画像、ポインタ、音声データを同期して記録したデータの再生時間を短縮して、効率良く再生するようにコンピュータを機能させることができる。
【００１７】
請求項６に記載の発明によれば、画像の変化又はポインタの位置の変化がある場合にその該当部分を通常の再生にし、それ以外の部分を短縮時間範囲として決定することで、記録したデータを効率良く再生することができる。
【００１８】
請求項７に記載の発明によれば、画像の変化又はポインタの位置の変化がある場合にその該当部分を通常の再生にし、それ以外の部分を短縮時間範囲として決定することで、記録したデータを効率良く再生するようにコンピュータを機能させることができる。
【発明を実施するための最良の形態】
【００１９】
以下、本発明を実施するための好適な実施の形態（以下、実施形態という）を、図面に従って説明する。
【００２０】
図１には、本実施形態に係る再生装置１０の機能ブロック図を示す。図１に示されるように、再生装置１０は、データ記憶部１２、第１時間範囲特定部１４、第２時間範囲特定部１６、第３時間範囲特定部１８、条件設定部２０、短縮時間範囲決定部２２、音声出力部２４、表示部２６、及び再生部２８を含む。各部の機能は、コンピュータ読み取り可能な情報記憶媒体に格納されたプログラムを、図示しない媒体読取装置を用いてコンピュータシステムたる再生装置１０が読み込んで実行することで実現されるものとしてよい。なお、ここでは情報記憶媒体によってプログラムが再生装置１０に供給されることとしたが、インターネット等のデータ通信ネットワークを介して遠隔地からプログラムが再生装置１０にダウンロードされてもよい。
【００２１】
データ記憶部１２は、順次映し出されたスライド画像をポインタにより指示しながら説明して行われたプレゼンテーションに関するスライド画像の画像データ、スライド画像を指示したポインタの位置データ、及び音声データを同期して記録したプレゼンテーション記録データを記憶している。図２には、データ記憶部１２に記憶されるプレゼンテーション記録データの一例を示す。
【００２２】
図２に示されるようにプレゼンテーション記録データは、所定の時間毎に記録された、表示された１又は複数のスライド画像の画像データ、当該スライド画像を指示するポインタの位置データ、そして音声データが記録された時間に関連付けられて記憶されている。
【００２３】
第１時間範囲特定部１４は、プレゼンテーション記録データに含まれる画像データに変化があった時間範囲を特定する。ここで第１時間範囲特定部１４により特定される時間範囲を第１時間範囲（画像変化区間）とする。第１時間範囲特定部１４は記録した画像データの差分量が所定の閾値を超えた場合に画像の変化があったものと判断し、当該判断された画像の変化に該当する部分を第１時間範囲として特定することとしてよい。
【００２４】
第２時間範囲特定部１６は、プレゼンテーション記録データに含まれるポインタの位置データが変化している時間範囲を特定する。ここで第２時間範囲特定部１６により特定される時間範囲を第２時間範囲（ポインタ位置変化区間）とする。第２時間範囲特定部１６は所定時間あたりのポインタ位置の移動量を速度として算出するとともに、算出した速度が閾値を超えた場合にポインタの位置が変化しているものと判断し、当該判断されたポインタの位置変化に該当する部分を第２時間範囲として特定することとしてよい。
【００２５】
第３時間範囲特定部１８は、プレゼンテーション記録データに含まれる音声データの有音部分の時間範囲を特定する。ここで第３時間範囲特定部１８により特定される時間範囲を第３時間範囲（有音区間）とする。本実施形態では音声レベル、すなわち音声波形の振幅が所定の閾値よりも大きい部分を有音部分として判断することとし、第３時間範囲特定部１８は、所定時間あたりの音声波形の振幅の平均値が閾値を越えた場合にその部分を有音部分と判断し、当該判断された有音部分を第３時間範囲として特定することとしてよい。
【００２６】
図３には、時間Ａ乃至Ｏにおいて記録されたデータに基づいて上述した第１時間範囲特定部１４、第２時間範囲特定部１６、第３時間範囲特定部１８によりそれぞれ特定される第１乃至第３時間範囲の一例を示した。図３に示されるように、画像変化に基づいて特定される第１時間範囲は［Ｅ］、［Ｉ］、［Ｌ］、そしてポインタの位置変化に基づいて特定される第２時間範囲は［Ｂ，Ｄ］、［Ｈ，Ｊ］、［Ｍ，Ｎ］、そして音声波形の振幅に基づいて特定される第３時間範囲は［Ａ，Ｃ］、［Ｆ，Ｇ］、［Ｊ，Ｋ］、［Ｍ，Ｏ］であるとする。なお、例えば上記の時間［Ｂ，Ｄ］とは時間［Ｂ］から［Ｄ］までの期間を表すものとし、時間［Ｅ］にも所定の時間の幅があることとしてよい。以下、上記各時間範囲に基づいてプレゼンテーション記録データの再生時に短縮する時間範囲を表す短縮時間範囲を決定するための方法について説明する。
【００２７】
条件設定部２０は、第１時間範囲特定部１４、第２時間範囲特定部１６、第３時間範囲特定部１８により特定された第１乃至第３時間範囲に基づいて短縮時間範囲を決定するための条件を設定する。以下、上記条件の具体例（第１乃至第４の条件）について説明する。
【００２８】
まず、第１の条件について説明する。第１の条件は、第１、第２、及び第３の時間範囲の論理和（ＯＲ）を通常の再生時間範囲（再生区間）とし、その否定論理和（ＮＯＲ）を短縮時間範囲（短縮区間）とする条件である。当該条件は、画像、ポインタ、及び音声のいずれかについて有意なデータがない部分については短縮時間範囲と決定するものであり、情報の欠落を最小限に抑えつつも再生時間を短縮したい場合に適している。
【００２９】
第２の条件は、第１、第２、及び第３の時間範囲のうちの２つの時間範囲についての論理和を通常の再生時間範囲（再生区間）とし、その否定論理和を短縮時間範囲（短縮区間）とする条件である。当該条件は、画像、ポインタ、及び音声のうち少なくとも２つのいずれかについて有意なデータがない部分については短縮時間範囲と決定するものであり、第１の条件よりは情報を欠落させることを許容し、より再生時間を短縮したい場合に適している。
【００３０】
第３の条件は、第１、第２、及び第３の時間範囲の論理積（ＡＮＤ）を通常の再生時間範囲（再生区間）とし、その否定論理積（ＮＡＮＤ）を短縮時間範囲（短縮区間）とする条件である。当該条件は、画像、ポインタ、及び音声の全てが有意な情報である部分以外は短縮時間範囲と決定するものであり、なるべく少ない時間で有意な情報を得るための再生に適している。
【００３１】
第４の条件は、画像の変化又はポインタの位置変化のいずれかがある部分を通常の再生時間範囲（再生区間）とし、それ以外の部分を短縮時間範囲（短縮区間）とする条件である。画像の変化に基づいて短縮時間範囲を決定する場合には、視覚的な情報の欠落を防ぎながら極めて短時間で再生することに適している。また、ポインタの位置変化に基づいて短縮時間範囲を決定する場合には、表示画面上で利用者による指示された部分についての情報の欠落を防ぎながら極めて短時間で再生することに適している。
【００３２】
また、上記の各条件により決定された通常の再生時間範囲が所定の時間に満たない場合には、その時間範囲については短縮時間範囲にすることとしてもよい。
【００３３】
条件設定部２０は、記録されたデータについて通常の再生時間範囲と短縮時間範囲とを決定するための条件を設定する。条件には上述した第１乃至第４のいずれかの条件を用いてもよいし、上記の条件を利用者の入力に応じて適宜編集して設定することとしてもよい。なお、条件設定部２０は、利用者により指定された条件を設定することとしてもよいし、利用者から所望の再生時間の入力を受け付けて、当該入力された再生時間に最も近い再生時間となる条件を選択して設定することとしてもよい。
【００３４】
短縮時間範囲決定部２２は、条件設定部２０で設定された条件に基づいて短縮時間範囲を決定する。例えば、図４には、上記第１の条件すなわち第１、第２、第３の時間範囲の論理和を通常の再生時間範囲（再生区間）、その否定論理和を短縮時間範囲（短縮区間）とする条件に基づいて、図３に示された第１乃至第３の時間範囲から通常の再生時間範囲（再生区間）と短縮時間範囲（短縮区間）を決定した例を示した。
【００３５】
また、図５には、第１時間範囲（画像による時間範囲）と、第３時間範囲（音声による時間範囲）との論理和を通常の再生時間範囲（再生区間）、その否定論理和を短縮時間範囲（短縮区間）とした例を示した。さらに、図６には、第２時間範囲（ポインタによる時間範囲）と、第３時間範囲（音声による時間範囲）との論理和を通常の再生時間範囲（再生区間）、その否定論理和を短縮時間範囲（短縮区間）とした例を示した。
【００３６】
音声出力部２４は、スピーカを含み、入力された音声データに基づいて音声の出力を行い、表示部２６は、ディスプレイを含み、入力されたグラフィックデータに基づいてイメージを表示する。
【００３７】
再生部２８は、記録されたデータを読み込んで、当該データに含まれる画像、ポインタ、音声を同期して再生する機能を有するとともに、短縮時間範囲決定部２２において決定された短縮時間範囲については画像、ポインタ、音声を短縮又は省略して再生する。画像、ポインタ、音声を同期したプレゼンテーションの再生は上記の表示部２６に画像及びポインタを表示するとともに、上記の音声出力部２４により音声を出力することで行う。ここで、短縮再生とは、通常の再生速度よりも早い速度で再生すること又は短縮時間範囲についてはデータを部分的に再生して、実際に記録された時間よりも短く再生することを表し、省略再生とは短縮時間範囲については再生をカットすることを表す。
【００３８】
次に、図７を参照しながら再生装置１０による記録データの再生処理の一連の流れについて説明する。図７には再生装置１０による記録データの再生処理のフロー図を示した。
【００３９】
図７に示されるように、再生装置１０は、記録された画像データ、ポインタの位置データ、音声データを含むプレゼンテーション記録データ（記録データ）を読み込み（Ｓ１０１）、画像データから第１時間範囲（Ｓ１０２）、ポインタの位置データから第２時間範囲（Ｓ１０３）、音声データから第３時間範囲（Ｓ１０４）をそれぞれ特定する。そして、再生装置１０は短縮時間範囲を決定するための条件を設定するとともに（Ｓ１０５）、当該設定された条件と上記特定された各時間範囲に基づいて短縮時間範囲を決定する（Ｓ１０６）。再生装置１０は、こうして決定された短縮時間範囲と読み込まれたプレゼンテーション記録データとに基づいて、画像、ポインタ、音声を同期して再生するとともに、短縮時間範囲についてはプレゼンテーション記録データを短縮又は省略して再生する（Ｓ１０７）。
【００４０】
なお、本発明は上記の実施形態に限定されるものではなく、例えば第１乃至第３の時間範囲から短縮時間範囲を決定するための論理条件式は上述したものに限られず多様な変形が可能である。また、上述した実施形態では第１乃至第３時間範囲を特定する機能が再生装置１０に備えられていることとしたが、当該機能は実行されたプレゼンテーションを記録する記録装置側に備えられる機能としても構わない。また、本実施形態に係る再生装置１０ではプレゼンテーションの記録は予め行われていることとしたが、当該装置が画像データ、ポインタの位置データ、音声データのそれぞれのデータの記録機能も備えることとしてもよいのはもちろんである。
【図面の簡単な説明】
【００４１】
【図１】本実施形態に係る再生装置の機能ブロック図である。
【図２】プレゼンテーション記録データの一例を示す図である。
【図３】第１乃至第３時間範囲の一例を示す図である。
【図４】第１乃至第３の時間範囲から通常の再生時間範囲と短縮時間範囲を決定した例を示す図である。
【図５】第１及び第３の時間範囲から通常の再生時間範囲と短縮時間範囲を決定した例を示す図である。
【図６】第２及び第３の時間範囲から通常の再生時間範囲と短縮時間範囲を決定した例を示す図である。
【図７】記録データの再生処理のフロー図である。
【符号の説明】
【００４２】
１０  再生装置、１２  データ記憶部、１４  第１時間範囲特定部、１６  第２時間範囲特定部、１８  第３時間範囲特定部、２０  条件設定部、２２  短縮時間範囲決定部、２４  音声出力部、２６  表示部、２８  再生部。
【図１】
2009301657.tif 000003
【図２】
2009301657.tif 000004
【図３】
2009301657.tif 000005
【図４】
2009301657.tif 000006
【図５】
2009301657.tif 000007
【図６】
2009301657.tif 000008
【図７】
2009301657.tif 000009